(57)【要約】【課題】  他の機器と通信する機能と画像を表示する機能とを兼ね備えた電子機器の利便性を向上させる。【解決手段】  ＲＦＩＤのリーダライタとして使用される電子機器Ｄ1は、物品７１に付加された記録媒体７３から情報を受信する通信部５４と、物品７１に付加された図像７４を撮像する撮像部３とを有する。電子機器Ｄ1においては、撮像部３が撮像した図像７４を復号した情報と通信部５４が受信した情報とに基づく処理が実行される。例えば、通信部５４が受信した複数の情報の何れかが、図像７４を復号した情報に応じて選択される。この選択された情報は表示パネル２１に表示される。【選択図】            図１３
2006031437.tif 000002
【特許請求の範囲】
【請求項１】
情報を記憶する他の電子機器と通信する通信部と、被写体を撮像する撮像部と、情報を処理する制御部とを具備する電子機器を動作させる方法であって、
光学的に読み取り可能な図像を前記撮像部が撮像する撮像段階と、
前記他の電子機器から前記通信部が情報を受信する受信段階と、
前記撮像段階にて撮像された図像を復号した情報と前記受信段階にて受信された情報とに基づく処理を前記制御部が実行する処理段階と
を有する電子機器の動作方法。
【請求項２】
前記通信部は、指向性を示すアンテナを介して前記他の電子機器と通信し、
前記撮像段階において、前記撮像部は、前記アンテナが指向する方向に存在する前記図像を撮像し、
前記受信段階において、前記通信部は、電子機器が前記撮像段階と略同じ姿勢とされた状態にて前記他の電子機器と通信する
請求項１に記載の電子機器の動作方法。
【請求項３】
前記受信段階において、前記通信部は、複数の情報を受信し、
前記処理段階において、前記制御部は、前記受信段階にて受信された複数の情報の何れかを、前記撮像段階にて撮像された図像を復号した情報に基づいて選択する
請求項１または請求項２に記載の電子機器の動作方法。
【請求項４】
前記処理段階において、前記制御部は、前記受信段階にて受信した情報を、前記撮像段階にて撮像された図像の復号により特定される関数により演算することによって新たな情報を生成する
請求項１または請求項２に記載の電子機器の動作方法。
【請求項５】
前記受信段階において、前記通信部は、所定の関数を示す情報を受信し、
前記処理段階において、前記制御部は、前記撮像段階にて撮像された図像を復号した情報を、前記受信段階にて受信された情報が示す関数により演算することによって新たな情報を生成する
請求項１または請求項２に記載の電子機器の動作方法。
【請求項６】
前記処理段階にて実行された処理によって生成された情報を前記通信部が送信する送信段階を有する請求項１から請求項５の何れかに記載の電子機器の動作方法。
【請求項７】
画像を表示する表示パネルと、前記表示パネルの背面側に指向性を示すアンテナを介して他の電子機器と通信する通信部とを具備する電子機器を動作させる方法であって、
前記通信部が前記他の電子機器と通信する段階と、
前記通信部による通信に応じた画像を前記表示パネルが表示する段階と
を有する電子機器の動作方法。
【請求項８】
画像を表示する表示パネルと、指向性を示すアンテナを介して他の電子機器と通信する通信部と、前記アンテナが指向する方向に存在する被写体を撮像する撮像部とを具備する電子機器を動作させる方法であって、
前記他の電子機器または前記他の電子機器が付加された物品を前記撮像部が撮像する段階と、
前記撮像部によって撮像された画像を前記表示パネルが表示する段階と、
電子機器が前記撮像時と略同じ姿勢とされた状態にて前記通信部が前記表示パネルに表示されている前記物品に付加された前記他の電子機器と通信する段階と
を有する電子機器の動作方法。
【発明の詳細な説明】
【技術分野】
【０００１】
本発明は、他の機器と通信する機能を備えた電子機器を動作させる方法に関する。
【背景技術】
【０００２】
他の機器と無線により通信する機能を備えた種々の電子機器が従来から広く普及している。例えば、利用者や物品を識別するためのＲＦＩＤ（Radio Frequency Identification）を利用した技術のもとでは、種々のデータが記憶されたＩＣタグやＩＣカードなどの機器と、この機器に対して非接触にてデータの書込みや読出しを行なうリーダライタとが使用される。これらの機器は、他の機器との間で電磁波を授受するためのアンテナと、この電磁波を変復調する通信回路とを具備する。
【０００３】
この種の機器には表示装置が搭載される場合がある（例えば特許文献１参照）。より具体的には、ＩＣタグやＩＣカードなどから読み出した情報を表示する表示装置がリーダライタに搭載されるほか、リーダライタによって読み書きされる機器にも、人間に対して情報を提供するために表示装置が搭載され得る。
【特許文献１】特開２００４−１３７８９号公報
【発明の開示】
【発明が解決しようとする課題】
【０００４】
しかしながら、この種の電子機器は必ずしも充分な利便性を備えたものとは言えないのが現状であった。例えば、これらの機器のアンテナが無指向性である場合には、通信の相手先となる機器を特定することが困難となるという問題がある。より具体的には、上述したＲＦＩＤは、商店などに陳列された多数の商品に付加されたＩＣタグをリーダライタによって読み取って各商品の管理に役立てるという用途が期待されているところ、リーダライタに無指向性のアンテナを搭載した場合には、このリーダライタに対して多数のＩＣタグから電磁波が到達するため、特定の商品に付加されたＩＣタグのみから選択的に情報を読み出すことが困難となる。指向性を有するアンテナを利用すればこれらの問題は解消される。しかしながら、指向性のアンテナによって確実に通信するための方策が従来の技術においては何ら考慮されていないため、この場合には利用者の負担が増大するという問題を招きかねない。すなわち、例えばリーダライタの利用者は、これを所望のＩＣタグとの間で電磁波が良好に授受されると予想される姿勢に維持して（例えばリーダライタをＩＣタグに向けて差し出して）通信を実行し、その後に画像を視認できる位置まで移動させることによってＩＣタグから読み出した情報を確認するといった煩雑な動作を実行しなければならない。
【０００５】
また、ＲＦＩＤの用途として例示した各商品の管理には各商品の識別情報のほかにも種々の情報が必要となる。したがって、実際にＲＦＩＤを商品の管理に利用するためには、これらの情報が記憶されたＩＣタグやＩＣカードを商品ごとに用意する必要がある。しかしながら、このようにＩＣタグやＩＣカードを商品ごとに用意した場合にはコストが過大となるから、現実的にはこのような方策を採用することは困難である。
【０００６】
なお、ここでは特にリーダライタに注目して従来の技術の問題に言及したが、これらの問題はＩＣタグやＩＣカードといった機器についても同様に生じる問題である。本発明は、このような事情に鑑みてなされたものであり、他の機器と通信する機能と画像を表示する機能とを兼ね備えた電子機器の利便性を向上させることを目的としている。
【課題を解決するための手段】
【０００７】
上述した課題を解決するために、本発明は、情報を記憶する他の電子機器と通信する通信部と、被写体を撮像する撮像部と、情報を処理する制御部とを具備する電子機器を動作させる方法であって、光学的に読み取り可能な図像を撮像部が撮像する撮像段階と、他の電子機器から通信部が情報を受信する受信段階と、撮像段階にて撮像された図像を復号した情報と受信段階にて受信された情報とに基づく処理を制御部が実行する処理段階とを有する。この発明は、例えばＲＦＩＤのリーダライタやこのリーダライタによって読み出される情報を記憶した記録媒体（ＩＣタグやＩＣカードなど）を動作させるための方法として採用される。
【０００８】
この方法のもとでは、他の電子機器から受信した情報だけでなく、撮像段階にて撮像された図像を復号した情報に応じた処理が制御部によって実行される。したがって、他の電子機器から受信した情報のみに基づいて処理を行なう従来の構成と比較して多様な処理によって利便性を向上させることができる。しかも、光学的に読み取り可能な図像は、情報を記憶する電子機器（例えばＩＣタグやＩＣカード）よりも低廉なコストにて作成されるのが一般的である。したがって、本発明によれば、他の電子機器から受信した情報のみに基づいて処理を行なう従来の構成と比較してコストを抑制することができるという利点がある。なお、本発明における撮像段階と受信段階との順序は任意である。すなわち、撮像段階の後に受信段階が実行されても受信段階の後に撮像段階が実行されてもよく、さらには撮像段階と受信段階とが並行して実行されてもよい。
【０００９】
本発明に係る電子機器において通信部と撮像部との位置関係は任意であるが、より望ましい態様において、撮像部による撮像の範囲と通信部による通信の範囲とは互いに重複する。すなわち、通信部は、指向性を示すアンテナを介して他の電子機器と通信する一方、撮像段階において、撮像部が、アンテナが指向する方向に存在する図像を撮像し、受信段階において、通信部が、電子機器が撮像段階と略同じ姿勢とされた状態にて他の電子機器と通信する。この態様においては、アンテナが指向する方向に存在する図像が撮像部によって撮像されるから、撮像部によって図像が撮像されるように電子機器の位置や姿勢を調整すれば、通信の相手先となる他の電子機器と良好な通信品位にて通信できる位置または姿勢にアンテナが自動的に調整されることになる。したがって、電子機器の利便性が向上して利用者の負担は軽減される。
【００１０】
本発明の具体的な態様として、通信部は、受信段階において複数の情報を受信する一方、処理段階において、制御部は、受信段階にて受信された複数の情報の何れかを、撮像段階にて撮像された図像を復号した情報に基づいて選択する（図１４参照）。この態様によれば、撮像部によって撮像された図像に応じて複数の情報の何れかが選択されるから、例えば物品の管理のために本発明を適用する場合には、比較的にコストが低廉である図像を物品ごとに作成しておけば、複数の情報を記憶した電子機器を多数の物品の管理のために共用したとしても、電子機器から読み出された情報と図像を復号した情報とに基づいて、各物品に固有の情報を取得することができる。もっとも、制御部による処理の内容は任意である。例えば、処理段階において、制御部が、受信段階にて受信した情報を、撮像段階にて撮像された図像の復号により特定される関数により演算することによって新たな情報を生成するようにしてもよい（図１５参照）。あるいは、これとは逆に、受信段階において、通信部が、所定の関数を示す情報を受信し、処理段階において、制御部が、撮像段階にて撮像された図像を復号した情報を、受信段階にて受信された情報が示す関数により演算することによって新たな情報を生成する構成としてもよい。
【００１１】
また、処理段階にて実行された処理によって生成された情報を通信部が送信する送信段階を有する態様によれば、制御部が生成した情報（例えばサービスを享受するための対価となるポイント）を外部に送信することによって更に多様な用途が実現される。
【００１２】
本発明の他の形態は、画像を表示する表示パネルと、表示パネルの背面側に指向性を示すアンテナを介して他の電子機器と通信する通信部とを具備する電子機器を動作させる方法であって、通信部が他の電子機器と通信する段階と、通信部による通信に応じた画像を表示パネルが表示する段階とを有する（図１０および図１１参照）。この形態によれば、他の電子機器との通信を媒介するアンテナが表示パネルの背面側に指向性を示す。したがって、表示パネルによって表示された画像を確認するために利用者が表示パネルの表示面を自身の方向に向けていたとしても、その利用者からみて奥側に存在する他の電子機器と良好な表示品位を維持したまま通信することができる。この効果は、アンテナが、表示パネルの法線に沿って当該表示パネルから背面側に離間する方向に指向性を示す構成を採用した場合にいっそう顕著となる。なお、表示パネルに表示される画像としては、例えば通信部によって他の電子機器から受信した情報や、通信部による他の電子機器との通信状態（例えば更新の成功または失敗を示すメッセージなど）などがある。
【００１３】
本発明の更に他の形態は、画像を表示する表示パネルと、指向性を示すアンテナを介して他の電子機器と通信する通信部と、アンテナが指向する方向に存在する被写体を撮像する撮像部とを具備する電子機器を動作させる方法であって、他の電子機器または他の電子機器が付加された物品を撮像部が撮像する段階と、撮像部によって撮像された画像を表示パネルが表示する段階と、電子機器が撮像時と略同じ姿勢とされた状態にて通信部が表示パネルに表示されている物品に付加された他の電子機器と通信する段階とを有する（図１２参照）。この形態によれば、通信部が通信している電子機器（あるいは電子機器が付加された物品）を撮像した画像が表示パネルによって表示されるから、利用者は、通信の相手先となる電子機器の様子を確認しながらこの電子機器との通信を実行することができる。換言すると、通信の相手先たる所望の電子機器が表示パネルに表示されるように電子機器の姿勢を調整すれば、その相手先の電子機器と良好な通信品位にて通信できる位置または姿勢にアンテナが自動的に調整されることになる。
【発明を実施するための最良の形態】
【００１４】
以下、図面を参照しながら本発明の実施の形態を説明する。なお、以下に示す各図においては、各部の寸法や比率を実際のものとは適宜に異ならせてある。
【００１５】
＜１．第１実施形態＞
まず、本発明の第１実施形態に係る電子機器について説明する。この電子機器は、ＲＦＩＤのリーダライタとしての機能を備えた携帯電話機である。
【００１６】
＜１ａ．電子機器の構成＞
図１は本実施形態に係る電子機器の構成を示す斜視図であり、図２は電子機器を図１とは反対側からみたときの斜視図である。これらの図に示すように、電子機器Ｄ1は、第１の筐体１１と第２の筐体１２とを有する。第１の筐体１１と第２の筐体１２とは各々の縁端部にてヒンジ１３を介して互いに連結されている。利用者は、図１および図２に示すように第１の筐体１１が第２の筐体１２に対して略１８０度に開かれた状態（以下「開状態」という）から、ヒンジ１３を軸として第１の筐体１１を第２の筐体１２側に（あるいは第２の筐体１２を第１の筐体１１側に）回転させることにより、図３および図４に示すように第１の筐体１１と第２の筐体１２とが互いに対向する状態（以下「閉状態」という）に電子機器Ｄ1を折り畳むことができる。
【００１７】
第２の筐体１２のうち閉状態において第１の筐体１１と対向する面には、利用者によって操作される複数の操作子５４１が配置されている。さらに、第１の筐体１１の側面にも同様の操作子５４２が配置されている。したがって、電子機器Ｄ1が閉状態とされて操作子５４１が第１の筐体１１に隠れた場合であっても、利用者は操作子５４２を操作することによって電子機器Ｄ1に指示を入力することができる。
【００１８】
第１の筐体１１には第１表示パネル２１および第２表示パネル２２が収容されている。第１表示パネル２１および第２表示パネル２２は画像を表示するための機器である。なお、以下では、第１表示パネル２１と第２表示パネル２２とを特に区別する必要がない場合には単に「表示パネル２」と表記する。
【００１９】
第１の筐体１１のうち閉状態において第２の筐体１２と対向する面には開口部１１ａが形成されている。第１表示パネル２１は表示面が開口部１１ａの内側に位置するように配置される。一方、第１の筐体１１のうち閉状態において第２の筐体１２の反対側に位置する面には、図２および図３に示すように開口部１１ｂが形成されている。第２表示パネル２２は表示面が開口部１１ｂの内側に位置するように配置される。すなわち、第１表示パネル２１と第２表示パネル２２とは各々の表示面が反対方向を向くように配置される。利用者は、開口部１１ａを介して第１表示パネル２１による表示画像を視認し、開口部１１ｂを介して第２表示パネル２２による表示画像を視認することができる。
【００２０】
さらに、第１の筐体１１には第１撮像部３１と第２撮像部３２とが収容されている。第１撮像部３１および第２撮像部３２は被写体を撮像するための機器（いわゆるデジタルカメラ）であり、例えば受光量に応じた電気信号を出力するＣＣＤ（Charge Coupled Device）を含む。このうち第１撮像部３１は第２表示パネル２２の上方に配置されて第１の筐体１１の開口部１１ｃから露出する。同様に、第２撮像部３２は第１表示パネル２１の上方に配置されて開口部１１ｄから露出する。なお、以下では、第１撮像部３１と第２撮像部３２とを特に区別する必要がない場合には単に「撮像部３」と表記する。
【００２１】
図５は各表示パネル２の周辺の構成を示す斜視図である。なお、同図においては第１表示パネル２１および第２表示パネル２２の近傍の要素のみが図示されており、例えば図１に示される撮像部３等の図示は適宜に省略されている。図５に示すように、第１表示パネル２１および第２表示パネル２２の各々は、相互に対向するように貼り合わされた背面側基板２０１と表示側基板２０２との間隙に液晶が封止された液晶パネルである。第１表示パネル２１と第２表示パネル２２とにはＦＰＣ（フレキシブルプリント基板）１５が架け渡されている。このＦＰＣ１５は、第１表示パネル２１および第２表示パネル２２の各々と他の回路とを電気的に接続するための配線基板であり、一端が第１表示パネル２１の周縁部に固定されるとともに途中の部分が適宜に折り曲げられて他端が第２表示パネル２２の周縁部に固定されている。
【００２２】
次に、図６は電子機器Ｄ1の機能的な構成を示すブロック図である。同図に示すように、第１表示パネル２１および第２表示パネル２２は駆動回路１６Ａ、１６Ｂにそれぞれ接続されている。駆動回路１６Ａおよび１６Ｂは、図５に示したＦＰＣ１５の表面にＣＯＦ（Chip  On  Film）技術によって実装されたＩＣチップであり、各表示パネル２に種々の画像を表示させるための回路（例えば走査線駆動回路やデータ線駆動回路）を含んでいる。なお、各駆動回路１６Ａおよび１６ＢがＣＯＧ（Chip  On  Glass）技術によって各表示パネル２の背面側基板２０１に実装された構成としてもよい。
【００２３】
図６に示すように、各駆動回路１６Ａおよび１６Ｂと上述した各撮像部３とは制御部５１に接続されている。この制御部５１は、電子機器Ｄ1の各部を制御するための手段であり、図５に示すようにＦＰＣ１５の表面にＩＣチップとして実装されている。制御部５１は、プログラムを格納する記憶回路やこのプログラムを実行することにより電子機器Ｄ1の各部を制御する制御回路とを有する（何れも図示略）。図１に示した操作子５４１や操作子５４２を含む操作部５４は制御部５１に接続されている。
【００２４】
図６に示すように、制御部５１には通信部５２が接続されている。この通信部５２には、第１アンテナ４１と第２アンテナ４２と第３アンテナ４３とが接続されている。以下では、第１アンテナ４１と第２アンテナ４２と第３アンテナ４３とを特に区別する必要がない場合には単に「アンテナ４」と表記する。各アンテナ４は、ＩＣタグやＩＣカードといった他の電子機器（以下ではリーダライタと区別するために「記録媒体」と表記する）から送信された電磁波の受信と記録媒体に対する電磁波の送信とを行なう。通信部５２は、各アンテナ４を介して記録媒体と通信するための回路であり、図５に示したＦＰＣ１５の表面にＩＣチップとして実装されている。より具体的には、通信部５２は、各アンテナ４によって受信された電磁波を復調してデジタルデータを生成する一方、制御部５１から入力されるデジタルデータを変調した電磁波を各アンテナ４から送信する。
【００２５】
第１アンテナ４１および第２アンテナ４２の各々は各表示パネル２に設置されている。すなわち、図５に示すように、第１アンテナ４１は第２表示パネル２２の背面側基板２０１の表面に形成され、第２アンテナ４２は第１表示パネル２１の背面側基板２０１の表面に形成されている。第１アンテナ４１および第２アンテナ４２の各々は背面側基板２０１の各縁辺に沿って環状をなす方形ループアンテナである。一方、第３アンテナ４３は、第２の筐体１２に収容された方形ループアンテナである。より具体的には、第３アンテナ４３は、図２および図４に示すように、第２の筐体１２のうち操作子５４１が配置された面とは反対側の面に設置されている。詳細は後述するが、各アンテナ４は特定の方向に指向性を示す。
【００２６】
制御部５１は、各アンテナ４を介した通信部５２による通信に応じた画像が各表示パネル２に表示されるように各駆動回路１６Ａおよび１６Ｂを制御することができる。この「通信に応じた画像」とは、例えば記録媒体との通信状態（例えば交信の成功または失敗）を示す情報や、記録媒体から受信した情報または記録媒体に対して送信される情報である。通信部５２が通信に利用するアンテナ４とこの通信に応じた画像が表示される表示パネル２とは予め対応付けられている。すなわち、制御部５１は、第１アンテナ４１を介した通信に応じた画像を第１表示パネル２１に表示させる一方、第２アンテナ４２または第３アンテナ４３を介した通信に応じた画像を第２表示パネル２２に表示させる。
【００２７】
さらに、制御部５１は、各撮像部３によって撮像された画像がこの撮像部３に対応した表示パネル２に表示されるように各駆動回路１６Ａおよび１６Ｂを制御することができる。すなわち、制御部５１は、第１撮像部３１によって撮像された画像を第１表示パネル２１に表示させる一方、第２撮像部３２によって撮像された画像を第２表示パネル２２に表示させる。以上のように、各表示パネル２と各アンテナ４と各撮像部３とは相互に対応するもの同士が組み合わされて使用される。以下では、表示パネル２とアンテナ４と撮像部３との組み合わせを便宜的に「ユニット」と表記する。すなわち、本実施形態においては、第１表示パネル２１と第１アンテナ４１と第１撮像部３１とがひとつのユニットを構成し、第２表示パネル２２と第２アンテナ４２および第３アンテナ４３と第２撮像部３２とがひとつのユニットを構成する。
【００２８】
なお、図１ないし図６においては電子機器Ｄ1のうちＲＦＩＤのリーダライタとしての機能を担う要素のみが図示されているが、実際の電子機器Ｄ1は、利用者が音声を入力するためのマイクロホンや利用者に対して音声を出力するスピーカ、さらには移動通信網の基地局と無線チャネルを介して通信するためのアンテナ（例えばロッドアンテナ）および通信回路など、携帯電話機としての本来の機能を果たす要素も備えている。
【００２９】
次に、図７ないし図９は、各表示パネル２と各撮像部３と各アンテナ４との関係を示す図である。図７は電子機器Ｄ1を上方向からみた図であり、図８は電子機器Ｄ1を横方向からみた図である。図７および図８においては、第１アンテナ４１の指向特性が破線にて示されている。この破線によって囲まれた範囲（以下「通信可能範囲」という）Ａcは、第１アンテナ４１から輻射された電磁波が所定の電界強度（例えば記録媒体との間で適正なデータ通信が担保される程度の電界強度）を維持し得る範囲である。換言すると、通信可能範囲Ａcとは、第１アンテナ４１が所定の電界強度の電磁波を受信することができる範囲である。図７および図８に示すように、第１アンテナ４１の通信可能範囲Ａcは、これと同じユニットに属する第１表示パネル２１からみて、この第１表示パネル２１の表示画像を視認する利用者Ｕとは反対側（以下「背面側」という）に向かって分布する。すなわち、第１アンテナ４１は、第１表示パネル２１の背面側に指向性を示す。さらに詳述すると、第１アンテナ４１は、第１表示パネル２１の背面側基板２０１の法線に沿って背面側に離間する方向（図７および図８における右方）に指向する。
【００３０】
なお、ここでは第１アンテナ４１を例示したが、第２アンテナ４２についても同様に通信可能範囲Ａcが画定される。ただし、第２アンテナ４２については、図７および図８に示した通信可能範囲Ａcの分布する方向が左右にわたって逆転する。すなわち、第２アンテナ４２は、第２表示パネル２２の背面側基板２０１の法線に沿って第２表示パネル２２の背面側に離間する方向（図７および図８における左方）に指向する。一方、図９は、電子機器Ｄ1が閉状態にあるときの第３アンテナ４３と第２表示パネル２２との関係を示す図である。同図に示すように、電子機器Ｄ1が閉状態にあるとき、第３アンテナ４３の通信可能範囲Ａcは第２表示パネル２２の背面側に向かって分布する。より具体的には、第３アンテナ４３は、第２表示パネル２２の法線に沿って背面側に離間する方向に指向する。
【００３１】
図７および図８においては、第１撮像部３１によって撮像される範囲が鎖線にて示されている。この鎖線によって囲まれた範囲（以下「撮像可能範囲Ａs」という）は、第１撮像部３１によって撮像され得る範囲である。図７および図８に示すように、第１撮像部３１の撮像可能範囲Ａsは第１表示パネル２１の背面側に向けて分布し、かつ、第１アンテナ４１の通信可能範囲Ａcに重複する。すなわち、第１撮像部３１は、第１アンテナ４１が指向する方向に存在する被写体を撮像できるようにその位置や姿勢が選定されている。一方、図９に示すような折り畳んだ状態では、第２撮像部３２は第２の筐体１２に隠れてしまい、第２撮像部３２の撮像可能範囲Ａsはこの状態では存在しない。
【００３２】
＜１ｂ．電子機器Ｄ1の使用形態＞
次に、電子機器Ｄ1が実際に使用されるときの形態に着目しながら、本実施形態に係る電子機器Ｄ1の動作を説明する。本実施形態における電子機器Ｄ1の動作モードは第１モードないし第３モードに区分される。利用者は、操作部５４を適宜に操作することによって何れかの動作モードを選択することができる。以下では、各動作モードが選択された場合に分けて電子機器Ｄ1の動作を説明する。
【００３３】
＜第１モード＞
第１モードは、電子機器Ｄ1による通信の状態を利用者が確認しながら他の電子機器と通信するためのモードである。このモードを選択すると、利用者Ｕは、図１０に示すように、物品７１に付加された記録媒体７３（ここではＩＣタグ）に対して何れかのアンテナ４が向くように電子機器Ｄ1の姿勢を維持したうえで操作部５４を操作する。この操作を検知すると、制御部５１は、記録媒体７３との通信を通信部５２に指令する。この指令を受信した通信部５２は、第１アンテナ４１、第２アンテナ４２および第３アンテナ４３のうち記録媒体７３から受信した電磁波の電界強度が最大であるアンテナ４を選択する一方、これ以外のアンテナ４（すなわち記録媒体７３から受信した電磁波の電界強度が低いアンテナ４）との電気的な導通を遮断する（後述する各モードにおいても同様）。図１０は、第１表示パネル２１が手前側に向けられるとともに第１アンテナ４１が物品７１に向けられた姿勢にて電子機器Ｄ1が利用者Ｕに所持されている場合を想定している。この場合には、物品７１に向けて指向する第１アンテナ４１の電界強度が最大となるから、通信部５２は第１アンテナ４１を選択するとともに第２アンテナ４２および第３アンテナ４３を電気的に切り離す。一方、図１１に示すように、電子機器Ｄ1が閉状態とされたうえで第３アンテナ４３が物品に向けられた姿勢にて電子機器Ｄ1が利用者Ｕに所持されている場合には、第３アンテナ４３が通信部５２によって選択されるとともに第１アンテナ４１および第２アンテナ４２との導通が遮断される。このようにひとつのアンテナ４のみが通信に利用されるから、電子機器Ｄ1が複数のアンテナ４を備えているにも拘わらず、各アンテナ４から送信される電磁波が互いに干渉するといった事態は回避される。
【００３４】
続いて、通信部５２は、先に選択したアンテナ４を介して記録媒体７３と通信することにより、この記録媒体７３に記録された情報（例えば物流の管理のために各物品７１に割り当てられた識別情報）を受信する。さらに、制御部５１は、通信部５２が選択したアンテナ４に対応した表示パネル２に、通信に応じた画像を表示させる。例えば、図１０のように第１アンテナ４１が選択されている場合には、この第１アンテナ４１と同じユニットに属する第１表示パネル２１に画像が表示される。また、図１１のように第３アンテナ４３が選択されている場合には第２表示パネル２２に画像が表示される。このとき、制御部５１は、画像の表示に利用される表示パネル２以外の表示パネル２への給電を停止する（後述する各モードにおいても同様）。例えば、図１０の場合には第２表示パネル２２に対する給電が停止され、図１１の場合には第１表示パネル２１に対する給電が停止される。この構成によれば、アンテナ４によって送受信される電磁波に対して、画像を表示していない表示パネル２の動作に起因したノイズが混入する事態は回避される。
【００３５】
表示パネル２に表示される画像の具体例は図１０の部分（ａ）ないし部分（ｃ）に示される通りである。すなわち、電子機器Ｄ1による記録媒体７３との通信の状態に応じて、記録媒体７３との交信が適正に実行されている旨のメッセージ（図１０の部分（ａ））や、記録媒体７３との交信に失敗した旨のメッセージ（図１０の部分（ｂ））が表示される。一方、電子機器Ｄ1が記録媒体７３との通信を完了した場合には、図１０の部分（ｃ）に示すように、この通信によって記録媒体７３から取得した情報（ここでは記録媒体７３の識別情報を示す「ＩＤ01」の文字）が表示される。利用者Ｕは、これらの画像を視認することによって、記録媒体７３との通信の状況を随時に確認することができる。
【００３６】
このように、本実施形態においては、各アンテナ４が表示パネル２の背面側に指向する構成となっているから、利用者Ｕが各表示パネル２を視認できるように電子機器Ｄ1が所持されている場合であっても、その背面に指向するアンテナ４によって高品位な通信が実行される。したがって、第１に電子機器Ｄ1を記録媒体７３と通信するための姿勢に維持し、第２にこの通信の結果を視認できるように電子機器Ｄ1を持ち替えるといった煩雑な作業は不要であるから、利用者Ｕの負担を軽減することができる。
【００３７】
さらに、電界強度が最大となるアンテナ４が通信に際して選択的に利用されるから常に高品位の通信が確保される。しかも、本実施形態においては表示パネル２とアンテナ４とを含む複数のユニットが設けられているから、電子機器Ｄ1の姿勢に拘わらず（例えば開状態にあるか閉状態にあるかを問わず）高品位での通信が実現される。
【００３８】
＜第２モード＞
第２モードは、撮像部３によって撮像された画像を確認しながら他の電子機器Ｄ1と通信するためのモードである。この第２モードは、図１２に示すように、互いに近接して配置された複数の物品７１のなかから所望の物品７１を選択し、この選択した物品７１に付加されたＩＣタグから識別情報を読み出すときに選択される。
【００３９】
第２モードを選択した利用者Ｕは、操作部５４を適宜に操作することによって何れかの撮像部３を選択する。制御部５１は、ここで選択された撮像部３が撮像した画像を、この撮像部３と同じユニットに属する表示パネル２に表示させる。例えば、第１撮像部３１が選択された場合には、図１２に示すように、この第１撮像部３１によって撮像された画像が第１表示パネル２１に表示される。利用者Ｕは、こうして表示された画像を確認しながら、先に選択した撮像部３の撮像可能範囲Ａs内に所望の物品７１が位置するように電子機器Ｄ1の位置および姿勢を調整する。図１２においては、横方向に配列された３つの物品７１のうち中央の物品７１が第１撮像部３１の撮像可能範囲Ａs内に位置するように電子機器Ｄ1の姿勢が調整された様子が例示されている。
【００４０】
一方、通信部５２は、利用者Ｕによって選択された撮像部３（現に撮像を実行している撮像部３）と同じユニットに属するアンテナ４を選択する。例えば、図１２のように第１撮像部３１が選択されている場合には、この第１撮像部３１と同じユニットに属する第１アンテナ４１を選択したうえで、第１のモードと同様にこれ以外のアンテナ４（ここでは第２アンテナ４２および第３アンテナ４３）との電気的な導通を遮断する。そして、通信部５２は、ここで選択したアンテナ４を介して記録媒体７３と通信することによって識別情報など各種の情報を取得する。
【００４１】
上述したように各アンテナ４と各撮像部３との位置関係は撮像可能範囲Ａsと通信可能範囲Ａcとが相互に重なり合うように選定されている。したがって、図１２に示されるように所望の物品７１が第１表示パネル２１に表示されるように電子機器Ｄ1の姿勢を調整すれば、第１アンテナ４１はこの物品７１の記録媒体７３と高品位な通信を実行し得る方向に自動的に調整される。すなわち、利用者Ｕは、表示パネル２を視認しながら所望の物品７１が撮像されるように電子機器Ｄ1の位置を調整すれば足り、記録媒体７３と高品位の通信が実現される位置ないし姿勢に電子機器Ｄ1が調整されているかどうかについては考慮する必要がない。したがって、利用者Ｕの負担が軽減される。
【００４２】
＜第３モード＞
第３モードは、記録媒体７３に加えて、光学的に読み取り可能な図像が物品に付加されている場合に好適な動作モードである。このような図像としては、所望の情報に応じて太さが選定された複数の線を配列してなるバーコードのほか、所望の情報に応じて黒色または白色の領域（ドット）を平面的に配列してなるＱＲ（Quick Response）コード（「ＱＲコード」は登録商標である）がある。本実施形態においては、図１３に示すように、記録媒体７３とＱＲコード７４とが物品７１に付加された場合を想定する。一方、この場合の記録媒体７３には、図１４に示すように、各種の物品に割り当てられた識別情報と各物品に関する情報（例えば生産地や価格など）とを各々が含む複数のレコードが記憶されている。この記録媒体７３は、互いに種類が相違する複数の物品について共用されるものであり、記録媒体７３が利用される可能性がある総ての物品に対応した複数のレコードを記憶している。したがって、記録媒体７３から情報を読み出しただけでは、実際に記録媒体７３が付加されている物品７１に関するひとつのレコードを特定することができない。そこで、第３モードにおいては、各物品７１に付加されたＱＲコード７４に基づいて、複数のレコードの何れかが選択されるようになっている。したがって、記録媒体７３に格納された情報が複数の物品７１について共通であるのに対し、ＱＲコード７４が示す情報は各物品７１に固有である。
【００４３】
第３モードを選択すると、利用者Ｕは、第２モードと同様の手順により、何れかの撮像部３の撮像可能範囲Ａs内にＱＲコード７４が位置するように電子機器Ｄ1の姿勢を調整する。この調整に際して撮像部３が撮像した画像は、この撮像部３と同じユニットに属する表示パネル２に随時に表示される。図１３においては、物品７１に付加されたＱＲコード７４が第１撮像部３１によって撮像されて第１表示パネル２１に表示された場合が想定されている。こうして位置を調整すると、利用者Ｕは操作部５４を操作する。この操作を検知すると、制御部５１は、その時点において撮像されている画像（ＱＲコード７４）を内部のメモリ（図示略）に取り込む。続いて、図１４に示すように、制御部５１は、この取り込んだＱＲコード７４をデコードする。ここではＱＲコード７４が「ＩＤ002」という識別情報にデコードされた場合を想定する。
【００４４】
一方、通信部５２は、第２モードと同様の手順により、利用者Ｕによって選択された撮像部３と同じユニットに属するアンテナ４を選択する。例えば、図１３のように第１撮像部３１が選択されている場合には、第１アンテナ４１を選択するとともにこれ以外のアンテナ４との電気的な導通を遮断する。そして、通信部５２は、ここで選択したアンテナ４を介して記録媒体７３と通信することにより、この記録媒体７３に格納された総てのレコードを取得する。記録媒体７３とＱＲコード７４とが近接して配置されていることを前提とすれば、第２モードと同様に、ＱＲコード７４が撮像されるように電子機器Ｄ1の位置および姿勢を調整することによって、アンテナ４の位置も記録媒体７３と良好に通信し得る位置に調整される。
【００４５】
続いて、制御部５１は、通信部５２によって取得された複数のレコードのうちＱＲコード７４からデコードされた識別情報を含むレコードを選択する。例えば、図１４に示すように、記録媒体７３から読み出された複数のレコードのなかから識別情報「ＩＤ002」を含むレコードが検索される。こうして検索されたレコードに含まれる識別情報および製品情報は、先の通信に利用されたアンテナ４と同じユニットに属する表示パネル２（図１３の例では第１表示パネル２１）に表示される。
【００４６】
このように、第３モードにおいても第２モードと同様に、ＱＲコード７４が撮像されるように電子機器Ｄ1の姿勢を調整すればアンテナ４の位置が自動的に調整されるから、利用者Ｕの負担が軽減される。加えて、第３モードにおいては、記録媒体７３に記録された複数のレコードの何れかがＱＲコード７４に基づいて選択されるから、記録媒体７３の長所とＱＲコード７４の長所とを利用して効率的な物品の管理が実現される。この点について詳述すると以下の通りである。
【００４７】
記録媒体７３は記録することができる情報量がＱＲコード７４よりも大きいという利点がある反面、その製造や情報の記録のためにＱＲコード７４よりも多大なコストを要するという欠点がある。一方、ＱＲコード７４は用紙に画像を印刷したものであるため、製造に要するコストが記録媒体７３と比較して低廉であるという利点がある反面、これによって表現できる情報量は記録媒体７３よりも少ないという欠点がある。したがって、多様な物品の各々について別個の記録媒体７３を製造したり別個の情報を記憶させたりした場合には膨大なコストを要する一方、各物品について別個のＱＲコード７４を作成した場合には各物品の管理のために充分な情報量を記憶させることができないという問題が生じ得る。本実施形態においては、種々の物品に関する情報が格納された記録媒体７３をこれらの物品について共用する一方、このうちの何れかが各物品に固有のＱＲコード７４に基づいて選択される構成となっている。したがって、データ容量が大きいという記録媒体７３の利点と製造コストが低廉であるというＱＲコード７４の利点とを活用して低コストで効率的な物品の管理が実現される。
【００４８】
なお、ここでは複数のレコードの何れかをＱＲコード７４に応じて選択する構成を例示したが、記録媒体７３に記録された情報とＱＲコード７４とに基づいた処理の方法はこれに限られない。例えば、図１５に示すように、各物品ごとに設定された関数Ｆ（ｘ1，ｘ2，……）を表現するＱＲコード７４を作成しておき、これらの関数に含まれる変数ｘ1、ｘ2、……として複数の物品について共通に適用される数値（例えば生産地に応じた数値や価格など）ａ、ｂ、ｃ……を記録媒体７３に記録した構成としてもよい。この構成のもとでは、ＱＲコード７４のデコードによって特定される関数に対して記録媒体７３から取得された各数値を代入することによって物品ごとの数値が算定され、この数値が各物品の管理のために利用される。あるいは、これとは逆に、各物品ごとに設定された変数を表現するＱＲコード７４と、複数の物品について共通に適用される関数を記憶した記録媒体７３とを用いてもよい。
【００４９】
＜２．第２実施形態＞
次に、本発明の第２実施形態に係る電子機器について説明する。この電子機器は、ＲＦＩＤのＩＣタグまたはＩＣカードとしての機能を備えた携帯電話機である。なお、本実施形態に係る電子機器はリーダライタによって情報が読み出されるという点で上記第１実施形態の電子機器Ｄ1（リーダライタ）と相違するが、他の電子機器と通信するという基本的な構成は第１実施形態と共通する。そこで、以下では、本実施形態に係る電子機器のうち上記第１実施形態と同様の部分については共通の符号を付してその説明を適宜に省略する。
【００５０】
＜２ａ．電子機器の構成＞
図１６は、本実施形態に係る電子機器の構成を示す斜視図（図１に対応する図面）である。同図に示すように、この電子機器Ｄ2は、第２の筐体１２の側面に接続スロット１８が形成されている点で上記第１実施形態の電子機器Ｄ1とは相違している。この接続スロット１８は、可搬型の記録媒体８０が挿入および取出される挿入孔であり、その内部には記録媒体８０の端子と電気的に接続される端子（図示略）が配置されている。記録媒体８０は半導体メモリなどの記憶回路を備えている。この記憶回路には、電子機器Ｄ2の利用者に割り当てられた識別情報やその他の各種の情報（典型的には利用者に固有の情報）が記憶される。各表示パネル２や各アンテナ４の構成は上記第１実施形態と同様である。なお、本実施形態における通信部５２は、電磁誘導または電磁結合の原理によってアンテナ４から発生した電力によって動作してもよいし、電子機器Ｄ2の電源から電力の供給を受けて動作してもよい。
【００５１】
＜２ｂ．電子機器Ｄ2の使用形態＞
本実施形態に係る電子機器Ｄ2は上記第１実施形態と同様に動作する。図１７は、電子機器Ｄ2がリーダライタと通信している様子を示す斜視図である。同図に示されるリーダライタ８３１は、駅や遊技場といった各種の施設の入口に設置されたゲート８３に固定されており、上記第１実施形態に示したように電子機器Ｄ2から識別情報を読み出す機能と、この識別情報に基づいて利用者Ｕによる施設への入場の可否を判定する機能とを備えている。
【００５２】
第１モードが選択されている場合には以下の動作が実行される。図１７に示すように、ゲート８３を通過しようとする利用者Ｕが、リーダライタ８３１に対して何れかのアンテナ４が向くように電子機器Ｄ2の姿勢を維持したうえで操作部５４を操作すると、電子機器Ｄ2の通信部５２は、電界強度が最大であるアンテナ４を選択し、このアンテナ４を介してリーダライタ８３１と通信する。より具体的には、記録媒体８０に記録されている識別情報が制御部５１によって読み出されたうえで通信部５２からリーダライタ８３１に送信される。図１７のように第１表示パネル２１が利用者Ｕ側に向けられている場合には、通信部５２は第１アンテナ４１を介してリーダライタ８３１と通信する。一方、リーダライタ８３１は、電子機器Ｄ2から受信した識別情報に基づいて利用者Ｕによる入場の可否を判定し、この判定の結果を示す情報を電子機器Ｄ2に対して送信する。そして、電子機器Ｄ2の制御部５１は、先に選択したアンテナ４と同じユニットに属する表示パネル２に、この判定の結果を表示させる。図１７の場合には、第１アンテナ４１に対応した第１表示パネル２１に入場の可否を示す画像が表示されることになる。
【００５３】
また、第２モードが選択されている場合、利用者Ｕは、例えば第１撮像部３１が撮像した画像を第１表示パネル２１にて確認しながら、リーダライタ８３１が第１撮像部３１の撮像可能範囲Ａs内に位置するように電子機器Ｄ2の位置および姿勢を調整する。通信部５２は、第１撮像部３１に対応する第１アンテナ４１を介して第１モードと同様の手順にてリーダライタ８３１と通信する。そして、制御部５１は、リーダライタ８３１から受信した情報（入場の可否に関する判定の結果）を第１表示パネル２１に表示させる。
【００５４】
一方、第３モードが選択されている場合、電子機器Ｄ2の制御部５１は、雑誌や新聞などの刊行物に印刷されたＱＲコード７４を何れかの撮像部３から取り込んだうえでデコードし、このデコードされた情報と記録媒体８０から読み出した情報とに応じた処理を実行する。例えば、制御部５１は、デコードされた情報と記録媒体８０から読み出した情報とに基づいてポイントを算定する。このポイントは、利用者Ｕが各種のサービスを享受するための対価となる数値である。この算定されたポイントは、利用者Ｕによる操作部５４への操作に応じて通信部５４から他の機器に送信される。例えば、通信部５４は、各種の施設に設置されたリーダライタに対してアンテナ４からポイントを送信する。これにより、利用者Ｕは、電子機器Ｄ2に蓄積されたポイントに応じたサービスを享受することができる。
【００５５】
＜３．変形例＞
上記各実施形態に対しては種々の変形が施される。具体的な変形の態様は以下の通りである。上記各実施形態や以下の各態様を適宜に組み合わせてもよい。
【００５６】
（１）本発明に係る方法によって動作させられる電子機器は上記各実施形態に示した構成に限定されない。特に、表示パネル２の方向とアンテナ４が指向する方向と撮像部３が撮像する方向との関係は、各請求項において明示的に特定されているものを除いて任意に変更される。
【００５７】
（２）上記各実施形態においては、各表示パネル２にアンテナ４が配置された構成を例示したが、アンテナ４が配置される位置やその形状は任意に変更される。例えば、各アンテナ４を表示パネル２とは別個の位置に配置してもよいし、方形ループアンテナ以外の形状の指向性アンテナを採用してもよい。すなわち、表示パネル２の背面側に指向性を示すアンテナまたはこのような指向性を示す位置や姿勢に配置されたアンテナであればよい。また、上記各実施形態においては、制御部５１と通信部５２とが別個のＩＣチップに搭載された構成を例示したが、制御部５１と通信部５２とが単一のＩＣチップに搭載された構成も採用され得る。
【００５８】
（３）上記各実施形態においては、第１撮像部３１と第２撮像部３２という２つの撮像部３が設けられた電子機器Ｄ（Ｄ1およびＤ2）を例示したが、ひとつの撮像部３のみが設けられた構成としてもよい。この構成においても、第１アンテナ４１が指向する方向と第２アンテナ４２が指向する方向との何れかを向くように撮像部３の姿勢を利用者が変更できる機構を採用すれば、上記各実施形態のように２つの撮像部３を搭載した場合と同様の作用および効果が奏される。
【００５９】
（４）上記各実施形態においては、通信部５２による通信に利用されるアンテナ４が電界強度や利用者により指定された撮像部３に応じて選択される構成を例示したが、アンテナ４を選択するための方法はこれに限られない。例えば、画像を表示する表示パネル２に応じてアンテナ４が選択される構成としてもよい。例えば、上記各実施形態に例示した折り畳み型の電子機器Ｄ（Ｄ1またはＤ2）における制御部５１は、電子機器Ｄが利用者によって開状態とされているときには第１表示パネル２１を選択して画像を表示させる一方、電子機器Ｄが閉状態とされているときには第２表示パネル２２を選択して画像を表示させる。この構成のもとでは、実際に画像の表示に利用される表示パネル２と同じユニットに属するアンテナ４が通信部５２によって選択される構成としてもよい。例えば、電子機器Ｄが開状態とされて第１表示パネル２１が画像を表示しているときには第１アンテナ４１を介した通信が実行され、電子機器Ｄが閉状態とされて第２表示パネル２２が画像を表示しているときには第２アンテナ４２を介した通信が実行されるといった具合である。あるいは、表示パネル２の選択状態と各アンテナ４の電界強度とに応じてアンテナ４が選択される構成としてもよい。例えば、電子機器Ｄが開状態にある場合には第１アンテナ４１および第２アンテナ４２の何れかが各々の電界強度に応じて選択される一方、電子機器Ｄが閉状態にある場合には第３アンテナ４３が選択されるといった構成も採用される。なお、本変形例において、制御部５１は、利用者が電子機器Ｄを開閉する操作に応じて（より具体的には電子機器Ｄの開閉を検知するセンサからの信号に応じて）何れかの表示パネル２を選択してもよいし、利用者による操作部５４への操作に応じて何れかの表示パネル２を選択してもよい。
【００６０】
（５）上記各実施形態においては、動作モードとして第１モードないし第３モードを例示したが、これらの各動作モードを適宜に組み合わせてもよい。例えば、通信部５４による通信の開始前には、各実施形態に第２モードとして示したように撮像部３が撮像した画像を表示パネル２に表示させる一方、通信部５４による通信が開始されると、各実施形態に第１モードとして示したように通信に応じた画像を表示パネル２に表示させるといった態様も採用される。
【００６１】
（６）上記各実施形態においては、アンテナ４と撮像部３と表示パネル２とを含む２つのユニットが配設された電子機器Ｄを例示したが、このユニットの個数は任意である。例えば、ひとつのユニットのみを含む構成や３つ以上のユニットを含む構成としてもよい。また、上記各実施形態においては、表示パネル２として液晶表示パネルを例示したが、各表示パネル２の構成の如何は不問である。例えば、有機ＥＬ表示パネルや電気泳動表示パネルなど各種の表示機器が本発明における表示パネルとして採用される。
【図面の簡単な説明】
【００６２】
【図１】本発明の第１実施形態に係る電子機器が開状態とされたときの斜視図である。
【図２】同電子機器を図１とは反対側からみたときの斜視図である。
【図３】同電子機器が閉状態とされたときの斜視図である。
【図４】同電子機器を図３とは反対側からみたときの斜視図である。
【図５】同電子機器における各表示パネルと各アンテナとの位置関係を示す斜視図である。
【図６】同電子機器の機能的な構成を示すブロック図である。
【図７】同電子機器を利用者の上方からみたときの撮像可能範囲および通信可能範囲と表示パネルとの位置関係を示す図である。
【図８】同電子機器を利用者の側方からみたときの撮像可能範囲および通信可能範囲と表示パネルとの位置関係を示す図である。
【図９】同電子機器が閉状態にあるときの通信可能範囲と表示パネルとの位置関係を示す図である。
【図１０】同電子機器が第１モードにて使用されるときの様子を示す斜視図である。
【図１１】同電子機器が第１モードにて使用されるときの他の様子を示す斜視図である。
【図１２】同電子機器が第２モードにて使用されるときの様子を示す斜視図である。
【図１３】同電子機器が第３モードにて使用されるときの様子を示す斜視図である。
【図１４】第３モードにおける制御部の処理の内容を示す図である。
【図１５】第３モードにおける制御部の他の処理の内容を示す図である。
【図１６】本発明の第２実施形態に係る電子機器が開状態とされたときの斜視図である。
【図１７】同電子機器が使用されるときの様子を示す斜視図である。
【符号の説明】
【００６３】
Ｄ1，Ｄ2……電子機器、１１……第１の筐体、１２……第２の筐体、１３……ヒンジ、１５……ＦＰＣ、１６Ａ，１６Ｂ……駆動回路、１８……接続スロット、２……表示パネル、２１……第１表示パネル、２１１，２２１……表示面、２２……第２表示パネル、２０１……背面側基板、２０２……表示側基板、３……撮像部、３１……第１撮像部、３２……第２撮像部、４……アンテナ、４１……第１アンテナ、４２……第２アンテナ、４３……第３アンテナ、５１……制御部、５２……通信部、５４……操作部、７１……物品、７３……記録媒体、７４……ＱＲコード７４、８０……記録媒体、Ａc……通信可能範囲、Ａs……撮像可能範囲。
【図１】
2006031437.tif 000003
【図２】
2006031437.tif 000004
【図３】
2006031437.tif 000005
【図４】
2006031437.tif 000006
【図５】
2006031437.tif 000007
【図６】
2006031437.tif 000008
【図７】
2006031437.tif 000009
【図８】
2006031437.tif 000010
【図９】
2006031437.tif 000011
【図１０】
2006031437.tif 000012
【図１１】
2006031437.tif 000013
【図１２】
2006031437.tif 000014
【図１３】
2006031437.tif 000015
【図１４】
2006031437.tif 000016
【図１５】
2006031437.tif 000017
【図１６】
2006031437.tif 000018
【図１７】
2006031437.tif 000019